(57)【要約】      （修正有）【課題】日付記事表示板を日付毎に分割するとともに、翌月表示板を今月の末日を表す日付記事表示板の末尾に位置させることで、今月および翌月のスケジュールを容易に把握することができるスケジュールボードを提供する。【解決手段】スケジュールボード１は、複数の日付記事表示板２と、複数の日付記事表示板２を日付順に移動可能に保持するボード本体６と、を備える。複数の日付記事表示板２は、日付毎に分割されており、ボード本体６は、今月の末日を表す日付記事表示板２の末尾において、翌月を表す翌月表示板３を移動可能に保持している。【選択図】図１
0003206655.tif 000002
【実用新案登録請求の範囲】
【請求項１】
スケジュールを記入する日付きの複数の日付記事表示板と、
前記複数の日付記事表示板を日付順に移動可能に保持するボード本体と、を備えるスケジュールボードであって、
前記複数の日付記事表示板は、日付毎に分割されており、
前記ボード本体は、今月の末日を表す前記日付記事表示板の末尾において、翌月を表す翌月表示板を移動可能に保持していることを特徴とするスケジュールボード。
【請求項２】
前記複数の日付記事表示板における各日付に対応する曜日を表示する複数の曜日表示板をさらに備え、
前記ボード本体は、前記複数の曜日表示板を前記複数の日付記事表示板に対応した状態で移動可能に保持していることを特徴とする請求項１に記載のスケジュールボード。
【請求項３】
前記ボード本体は、前記複数の日付記事表示板を上下２段に移動可能に保持していることを特徴とする請求項１又は２に記載のスケジュールボード。
【考案の詳細な説明】
【技術分野】
【０００１】
本考案は、容易にスケジュールを把握することができるスケジュールボードに関する。
【背景技術】
【０００２】
従来から企業、病院、学校等で、業務予定や行動予定などのスケジュール（以下、スケジュールと言う。）を記入するために黒板やホワイトボードなどのスケジュールボート（以下、スケジュールボードと言う。）が用いられている。スケジュールボードは、１カ月分のスケジュールを日付とともに記入することができるため、使用者がスケジュールを容易に把握することができ、様々な場面で用いられている。近年、このスケジュールボードの使い勝手を向上させるべき鋭意研究されている。
【０００３】
例えば、特許文献１（従来例）には、図８で示すように、日付欄Ａ、曜日欄Ｂ、およびこれらに対応したスケジュールを表記する記事欄Ｃが日付順に設けられ、任意の日数で分割された複数の表示パネル１２０、１３０、１４０を移動可能に形成することで、今月のスケジュールと翌月のスケジュールを連続的に表記することができるスケジュールボード１００が開示されている。
【先行技術文献】
【特許文献】
【０００４】
【特許文献１】特開平１０―２１７６８３号
【考案の概要】
【考案が解決しようとする課題】
【０００５】
しかし、従来例のスケジュールボード１００では、図８で示すように、任意の日数（例えば１カ月、１５日、または１週間）単位で表示パネル１２０、１３０、１４０が分割されており、過ぎた日のスケジュールがスケジュールボード１００に残るため、使用者が今後のスケジュールを把握しにくい問題があった。また、従来例のスケジュールボード１００は、単に翌月の日付を表示する表示パネル１４０を今月の末日を表示する表示パネル１２０、１３０の後ろに位置させるものに過ぎないため、今月と翌月のスケジュールの境目が分かりにくい問題もあった。
【０００６】
本考案は、上述した事情に鑑みてなされるものであって、日付記事表示板を日付毎に分割するとともに、翌月表示板を今月の末日を表す日付記事表示板の末尾に位置させることで、過ぎた日のスケジュールをボード本体から取外して、今月および翌月のスケジュールを容易に把握することができるスケジュールボードを提供することを目的とする。
【課題を解決するための手段】
【０００７】
上記課題を解決するためになされた請求項１に記載の考案は、スケジュールを記入する日付きの複数の日付記事表示板と、前記複数の日付記事表示板を日付順に移動可能に保持するボード本体と、を備えるスケジュールボードであって、前記複数の日付記事表示板は、日付毎に分割されており、前記ボード本体は、今月の末日を表す前記日付記事表示板の末尾において、翌月を表す翌月表示板を移動可能に保持していることを特徴とする。
【０００８】
請求項１に記載の考案によれば、日付記事表示板を日付毎に分割するとともに、翌月表示板を今月の末日を表す日付記事表示板の末尾に位置させることで、過ぎた日のスケジュールをボード本体から取外して、今月および翌月のスケジュールを容易に把握することができる。
【０００９】
請求項２に記載の考案は、請求項１に記載されたスケジュールボードであって、前記複数の日付記事表示板における各日付に対応する曜日を表示する複数の曜日表示板をさらに備え、前記ボード本体は、前記複数の曜日表示板を前記複数の日付記事表示板に対応した状態で移動可能に保持していることを特徴とする。
【００１０】
請求項２に記載の考案によれば、日付記事表示板に対応付けて曜日表示板を移動可能に保持することで、その日のスケジュール内容のみならず曜日も簡単に把握することができる。
【００１１】
請求項３に記載の考案は、請求項１又は２に記載されたスケジュールボードであって、前記ボード本体は、前記複数の日付記事表示板を上下２段に移動可能に保持していることを特徴とする。
【００１２】
請求項３に記載の考案によれば、上下２段に日付記事板を配置することで、スケジュールボードの横幅をコンパクトにすることができる。
【考案の効果】
【００１３】
本考案によれば、日付記事表示板を日付毎に分割するとともに、翌月表示板を今月の末日を表す日付記事表示板の末尾に位置させることで、過ぎた日のスケジュールをボード本体から取外して、今月および翌月のスケジュールを容易に把握することができる。
【図面の簡単な説明】
【００１４】
【図１】第１実施例のスケジュールボードを示す平面図である。
【図２】図１のＡ−Ａ線で切断した断面図である。
【図３】図２のＢ部を拡大した拡大断面図である。
【図４】図２のＣ部を拡大した拡大断面図である。
【図５】（a）は図１のスケジュールボードにおける日付記事表示板を示す平面図であり、（ｂ）は図１のスケジュールボードにおける月表示板および翌月表示板を示す平面図であり、（ｃ）は図１のスケジュールボードにおける曜日表示板を示す平面図である。
【図６】図５（ｂ）のＤ−Ｄ線で切断した断面図である。
【図７】図１のスケジュールボードにおいて日付が１日進めた状態を示す平面図である。
【図８】従来例のスケジュールボードを示す分解斜視図である。
【考案を実施するための形態】
【００１５】
以下、本考案を図面に示す実施例に基づいて説明する。
（第１実施例）
本考案のスケジュールボード１に関して、図１乃至７を用いて説明する。
【００１６】
図１は第１実施例のスケジュールボード１を示す平面図であり、図２は図１のＡ−Ａ線で切断した断面図であり、図３は図２のＢ部を拡大した拡大断面図であり、図４は図２のＣ部を拡大した拡大断面図であり、図５（a）は図１のスケジュールボード１における日付記事表示板２を示す平面図であり、（ｂ）は図１のスケジュールボード１における月表示板７および翌月表示板３を示す平面図であり、（ｃ）は図１のスケジュールボード１における曜日表示板４を示す平面図であり、図６は図５（ｂ）のＤ−Ｄ線で切断した断面図である。
なお、本考案のスケジュールボード１の幅方向（水平方向）をＸ軸とし、スケジュールボード１の厚さ方向をＹ軸とし、スケジュールボード１の高さ方向（上下方向）をＺ軸とする。
【００１７】
図１に示すように、引用符号１は、本実施例のスケジュールボード１である。スケジュールボード１は、日付毎に分割された複数の日付記事表示板２と、今月の末日を表示する日付記事表示板２の末尾に位置する翌月表示板３と、複数の日付記事表示板２における各日付に対応した曜日を表示する複数の曜日表示板４と、翌月表示板３と同じ幅で形成されたスペーサ５と、複数の日付記事表示板２、翌月表示板３、複数の曜日表示板４およびスペーサ５を移動可能に保持するボード本体６と、を備える。
【００１８】
複数の日付記事表示板２は、図１に示すように、１カ月分の日数である１日〜３１日までの各日数分に分割されている。各日付記事表示板２は、図５（a）で示すように、例えばプラスチックなどの樹脂で短冊状に形成されている。
【００１９】
日付記事表示板２は、図５（a）で示すように、上部にはスクリーン印刷、焼印、またはカッティングシート等の消去不能な態様で日付が記載されており、その下部にはスケジュールを記入する記事欄２１が形成されている。記事欄２１は、日付記事表示板２の表面が円滑に形成されており、マーカーペン等（不図示）で記入した文字や数字が容易に消去することができる。
【００２０】
翌月表示板３は、図１および図５（ｂ）で示すように、例えばプラスチックなどの樹脂で、短冊状に形成されている。翌月表示板３の中央上部には、１年間である１月〜１２月までの各月を表示する月表示板７を差込む翌月用差込部３１が形成されている。
【００２１】
翌月用差込部３１は、図１および６で示すように、水平方向へ延び、断面視Ｌ字形状をした一対の翌月ガイド部材３１ａで形成されている。月表示板７は、一対の翌月ガイド部材３１ａで挟まれ、水平方向へ移動可能に保持されている。
【００２２】
翌月用差込部３１の下部には、スクリーン印刷、焼印、またはカッティングシートなどの消去不能な態様で「月」と記載されている。この翌月表示板３は、日付記事表示板２と同じ大きさで形成されている。
【００２３】
複数の曜日表示板４は、図１で示すように、１週間を構成する曜日である月曜日〜日曜日までの各曜日を、スクリーン印刷、焼印、またはカッティングシートなどの消去不能な態様で記載されている。各曜日表示板４は、図５（ｃ）で示すように、例えばプラスチックなどの樹脂で、矩形状に形成されている。この曜日表示板４は、図１で示すように、日付記事表示板２と同じ幅で形成されており、日付記事表示板２と対応して位置することができるように形成されている。
【００２４】
スペーサ５は、図１で示すように、曜日表示板４と同様に、例えばプラスチックなどの樹脂で矩形状に形成されている。スペーサ５は、翌月表示板３と同じ幅で形成されており、翌月表示板３と対応して位置することで、翌月表示板３を日付記事表示板２の間に位置させても、日付記事表示板２に対応する曜日表示板４がずれることを防止することができる。
【００２５】
ボード本体６は、図１および２で示すように、例えばプラスチックなどの樹脂や鉄などで、横長の矩形状をしたものである。ボード本体６は、図２および３で示すように、今月を表示する月表示板７を差込む月用差込部６１と、月用差込部６１の下部において、日付記事表示板２および翌月表示板３を日付順に連続して上下２段に保持する表示保持部６２と、を備える。
【００２６】
月用差込部６１は、図１で示すように、ボード本体６の上部に形成されており、その左側には、スクリーン印刷、焼印、又はカッティングシートなどの消去不能な態様で「月  スケジュール」と記載されている。月用差込部６１には、図１乃至３で示すように、水平方向へ延び、断面視Ｌ字形状をした一対の月用ガイド部材６１ａで形成されている。月表示板７は、翌月用差込部３１と同様に、一対の月用ガイド部材６１ａで挟まれ、水平方向へ移動可能に保持されている。
【００２７】
ここで、月用差込部６１は、翌月用差込部３１と同じ構成にすると良い。月用差込部６１と翌月用差込部３１を同じ構成とすることで、これらに差込む月表示板７を共通化することができる。
【００２８】
表示保持部６２は、図１に示すように、複数の日付記事表示板２および翌月表示板３に対応して複数の曜日表示板４およびスペーサ５も保持している。この表示保持部６２は、図１および２で示すように、第１、第２、第３、第４および第５ガイド部材６３、６４、６５、６６、６７で形成されている。
【００２９】
上下端に位置する第１ガイド部材６３および第５ガイド部材６７は、図１、２および４で示すように、水平方向へ延び、断面視Ｌ字形状をしたものであり、第２ガイド部材６４、第３ガイド部材６５および第４ガイド部材６６は、水平方向へ延び、断面視Ｔ字形状をしたものである。
【００３０】
表示保持部６２の上段は、第１ガイド部材６３、第２ガイド部材６４および第３ガイド部材６５で形成されている。曜日表示板４は、第１ガイド部材６３と第２ガイド部材６４とで挟まれることで、表示保持部６２において水平方向へ移動可能に保持されている。日付記事表示板２は、第２ガイド部材６４と第３ガイド部材６５とで挟まれることで、表示保持部６２において水平方向へ移動可能に保持されている。
【００３１】
表示保持部６２の下段は、第３ガイド部材６５、第４ガイド部材６６および第５ガイド部材６７で形成されている。曜日表示板４は、第３ガイド部材６５と第４ガイド部材６６とで挟まれ、水平方向へ移動可能に保持されている。日付記事表示板２は、第４ガイド部材６６と第５ガイド部材６７とで挟まれ、水平方向へ移動可能に保持されている。
【００３２】
翌月表示板３も、日付記事表示板２と同様に、第２ガイド部材６４と第３ガイド部材６５、および第４ガイド部材６６と第５ガイド部材６７、とで挟まれ、水平方向へ移動可能に保持されている。
【００３３】
スペーサ５も、曜日表示板４と同様に、第１ガイド部材６３と第２ガイド部材６４、および第３ガイド部材６５と第４ガイド部材６６、とで挟まれ、水平方向へ移動可能に保持されている。
【００３４】
本実施例のスケジュールボード１は、日付記事表示板２や曜日表示板４などを、水平方向へ延びる複数のガイド部材６３、６４、６５、６６、６７で挟みことで、日付記事表示板２や曜日表示板４などを移動可能とし、スケジュールボード１全体の構成を簡略化するとともにスケジュールボード１の製造コストを低減化することができる。
【００３５】
本実施例のスケジュールボード１は、今月の末日を表す日付記事表示板２の末尾に翌月表示板３を位置させることで、使用者に対して今月のスケジュールと来月のスケジュールを簡単に把握させることができる。
【００３６】
本実施例のスケジュールボード１は、スペーサ５を曜日表示板４と、翌月表示板３を日付記事表示板２と、それぞれ統一した大きさとすることで、曜日表示板４と日付記事表示板２、およびスペーサ５と翌月表示板３を対応させた状態で移動させることができる。
【００３７】
また、本実施例のスケジュールボード１は、複数の日付記事表示板２および複数の曜日表示板４を日付順に保持する表示保持部６２を上下２段に分けて保持することで、ボード本体６の横幅を短くすることができる。
【００３８】
さらに、本実施例のスケジュールボード１は、上下２段に形成された表示保持部６２において、翌月表示板３を日付記事表示板２と同じ幅で形成することで、翌月表示板３と日付記事表示板２を合わせて偶数枚とし、表示保持部６２において上下２段に配置された日付記事表示板２と翌月表示板３の横幅を同じ長さに揃えることができる。
【００３９】
次に、本実施例のスケジュールボード１における日にちを変更する作業について説明する。初期条件としては、変更前の日を１月５日（月曜日）とし、図１で示すように、表示保持部６２には、複数の曜日表示板４、複数の日付記事表示板２、翌月表示板３およびスペーサ５が保持されているものとする。また、月用差込部６１には、今月（１月）を意味する「１」が記載された月表示板７が保持されており、翌月用差込部３１には、来月（２月）を意味する「２」が記載された月表示板７が保持されているものとする。さらに、本日は１月６日（火曜日）とする。
【００４０】
図7は図１のスケジュールボード１において日付が１日進めた状態を示す平面図である。
【００４１】
使用者は、まず、表示保持部６２の上段左端に位置し、過ぎた日付である「月」が記載された曜日表示板４と「５」が記載された日付記事表示板２を表示保持部６２から取り外す。使用者は、表示保持部６２の下段左端に位置する「水」が記載された曜日表示板４と「２１」が記載された日付記事表示板２を取外す。
【００４２】
使用者は、この取り外した「水」が記載された曜日表示板４と「２１」が記載された日付記事表示板２で、表示保持部６２の上段右端に位置している「火」が記載された曜日表示板４と「２０」が記載された日付記事表示板２を押して、取り外した曜日表示板４と日付記事表示板２を表示保持部６２の上段右端に位置させる。これに伴って、本日（１月６日（火曜日））を表示する「火」が記載された曜日表示板４と「６」が記載された日付記事表示板２が、表示保持部６２の上段左端に位置する。
【００４３】
また、使用者は、初めに取り外した「月」が記載された曜日表示板４と「５」が記載された日付記事表示板２で、表示保持部６２の下段右端に位置する「水」が記載された曜日表示板４と「４」が記載された日付記事表示板２を押して、この初めに取り外した曜日表示板４と日付記事表示板２を表示保持部６２の下段右端へ位置させる。これに伴って、「木」が記載された曜日表示板４と「２２」が記載された日付記事表示板２が下段左端へ位置し、図７のような状態となり、日にちの変更作業を終了する。
【００４４】
本実施例のスケジュールボード１は、日付記事表示板２が日毎に分割されており、これに対応して曜日表示板４も各曜日で分割されているため、過ぎた日の日付記事表示板２および曜日表示板４のみを取外すことができ、使用者が今後のスケジュールを容易に把握することができる。
【００４５】
また、本実施例のスケジュールボード１は、常に、表示保持部６２の上段左端に本日を示す曜日表示板４および日付記事表示板２が位置するため、本日のスケジュールおよび曜日を簡単に把握することができる。
【００４６】
さらに、本実施例のスケジュールボード１は、取り外した曜日表示板４や日付記事表示板２で押して、上段および下段において日付順に連続している複数の曜日表示板４および複数の日付記事表示板２を移動させるため、日にちの変更作業も簡単に行うことができる。
【００４７】
（他の実施例）
上記実施例のスケジュールボード１において、複数の日付記事表示板２と、翌月表示板３と、複数の曜日表示板４と、スペーサ５と、ボード本体６とを備えるものとして説明したが、特にこれに限られるものではなく、複数の日付記事表示板２と、翌月表示板３と、ボード本体６と、のみを備えるものとしても良い。
【００４８】
すなわち、上下２段で構成した表示保持部６２に複数の日付記事表示板２と翌月表示板３のみを保持させる構成としても良い。この構成により、複数の曜日表示板４やスペーサ５を表示保持部６２で保持する必要がないため、表示保持部６２の構成を簡略化することができる。
【００４９】
上記実施例のスケジュールボード１において、ボード本体６の上部に月用差込部６１が形成され、その左側に消去不能な態様で「月  スケジュール」と記載されているものとして説明したが、特にこれに限られるものではなく、月用差込部６１や消去不能な態様による「月  スケジュール」を省略するものとしても良い。
【００５０】
この場合、表示保持部６２内には、翌月を示す翌月表示板３が保持されていることから、翌月表示板３の前に本日を示す日付記事表示板２と曜日表示板４があれば、本日が何月なのかを簡単に把握することができる。また、月用差込部６１等の構成を省略することで、表示保持部６２の構成も簡略化することができる。
【００５１】
上記実施例のスケジュールボード１において、翌月用差込部３１および月用差込部６１を、水平方向へ延び、断面視Ｌ字形状をした一対の翌月ガイド部材３１aおよび月用ガイド部材６１ａからなるものとして説明したが、特にこれに限られるものではなく、月表示板７を水平方向へ移動可能に保持できる構成であれば良い。
【００５２】
同様に、上記実施例のスケジュールボード１において、表示保持部６２を、水平方向へ延び、断面視Ｌ字形状をした第１ガイド部材６３および第５ガイド部材６７と、水平方向へ延び、断面視Ｔ字形状をした第２ガイド部材６４、第３ガイド部材６５および第４ガイド部材６６と、からなるものとして説明したが、特にこれに限られるものではなく、複数の日付記事表示板２、翌月表示板３、複数の曜日表示板４およびスペーサ５を水平方向へ移動可能に保持できる構成であれば良い。
【００５３】
また、上記実施例のスケジュールボード１において、表示保持部６２を上下２段に複数の日付記事表示板２および翌月表示板３を保持するものとして説明したが、特にこれに限られるものではなく、複数の日付記事表示板２および翌月表示板３を上下４段に保持する構成としても良い。
【００５４】
さらに、上記実施例のスケジュールボード１において、表示保持部６２は、水平方向に延びる第１ガイド部材６３、第２ガイド部材６４、第３ガイド部材６５、第４ガイド部材６６および第５ガイド部材６７からなるものとして説明したが、上下方向へ延びる第１ガイド部材６３、第２ガイド部材６４、第３ガイド部材６５、第４ガイド部材６６および第５ガイド部材６７からなるものとしても良い。
【００５５】
この場合、複数の日付記事表示板２、翌月表示板３、複数の曜日表示板４およびスペーサ５は上下方向に移動可能に表示保持部６２で保持されているものとする。
【００５６】
本考案は、その精神または主要な特徴から逸脱することなく、他の様々な形で実施することができる。そのため、前述の実施の形態はあらゆる点で単なる例示に過ぎず、限定的に解釈してはならない。本考案の範囲は、実用新案登録請求の範囲によって示すものであって、明細書本文には、なんら拘束されない。さらに、実用新案登録請求の範囲の均等範囲に属する全ての変形、様々な改良、代替および改質は、すべて本考案の範囲内のものである。
【符号の説明】
【００５７】
１…スケジュールボード
２…日付記事表示板
２１…記事欄
３…翌月表示板
３１…翌月用差込部      ３１a…翌月ガイド部材
４…曜日表示板
５…スペーサ
６…ボード本体
６１…月用差込部      ６１a…月用ガイド部材    ６２…表示保持部    ６３…第１ガイド部材    ６４…第２ガイド部材    ６５…第３ガイド部材    ６６…第４ガイド部材    ６７…第５ガイド部材
７…月表示板
【図１】
0003206655.tif 000003
【図２】
0003206655.tif 000004
【図３】
0003206655.tif 000005
【図４】
0003206655.tif 000006
【図５】
0003206655.tif 000007
【図６】
0003206655.tif 000008
【図７】
0003206655.tif 000009
【図８】
0003206655.tif 000010